(57)【要約】  本発明は、ストリームを、第１の記録媒体の記憶容量を余分に使用することなく第１の記録媒体に記録した後、高速にかつ画質及び音質の劣化を抑えて第２の記録媒体にダビングするストリーム記録再生装置を提供する。本発明のストリーム記録再生装置は、ストリーム（１０１）が第２の記録媒体（７）の論理規格に準拠しているか否かを判定する解析部（６）と、判定結果を第１の記録媒体（３）に記録する管理情報記録部（８）と、ストリーム（１０１）をメディア（３）に記録するＴＳ記録処理部（２）と、ストリーム（１０１）がメディア（７）の論理規格に準拠していない場合、メディア（３）に記録されたストリーム（１０１）をメディア（７）の論理規格に準拠するストリームに変換する処理部（１４）、（１５）と、変換されたストリームをメディア（７）に記録するＰＳ記録処理部（１７）とを備える。
2007533054.tif 000002
【特許請求の範囲】
【請求項１】
第１のストリームを第１の記録媒体に記録した後に、前記第１のストリームを第２の記録媒体にダビングする装置であって、
前記第１のストリームが前記第２の記録媒体の論理規格に準拠しているか否かを判定する判定部と、
前記第１のストリームを前記第１の記録媒体に記録する第１のストリーム記録部と、
前記判定部によって得られた判定結果を、前記第１の記録媒体に記録する判定結果記録部と、
前記第１の記録媒体に、前記第１のストリームが前記第２の記録媒体の論理規格に準拠していないことを示す判定結果が記録されている場合、前記第１の記録媒体に記録された前記第１のストリームを、前記第２の記録媒体の論理規格に準拠する第２のストリームに変換する変換部と、
前記第２のストリームを前記第２の記録媒体に記録する第２のストリーム記録部と
を備えるストリーム記録再生装置。
【請求項２】
前記変換部は、前記第１のストリームをデコードし、デコードすることによって得られた信号を、前記第２の記録媒体の論理規格に準拠する前記第２のストリームにエンコードする
請求項１に記載のストリーム記録再生装置。
【請求項３】
前記第１のストリームは、映像エレメンタリーストリームと音声エレメンタリーストリームとを有し、
前記変換部は、前記映像エレメンタリーストリームのＰｉｃｔｕｒｅレーヤのＵｓｅｒ＿ｄａｔａ内に存在する字幕データと同一のデータを、Ｇｒｏｕｐ  ｏｆ  ＰｉｃｔｕｒｅレーヤのＵｓｅｒ＿ｄａｔａ内に格納する
請求項１に記載のストリーム記録再生装置。
【請求項４】
前記判定部は、（１）前記第１のストリームの前記第１の記録媒体への記録の開始時から終了時まで、前記第１のストリームが前記第２の記録媒体の論理規格に準拠しているか否かを判定し、（２）前記第１のストリームを構成する全ての部分が前記第２の記録媒体の論理規格に準拠している場合のみ、前記第１のストリームが前記第２の記録媒体の論理規格に準拠していると判定する
請求項１に記載のストリーム記録再生装置。
【請求項５】
前記判定部は、（１）前記第１のストリームの前記第１の記録媒体への記録の開始時からの所定の第１の期間と、前記第１のストリームのシーケンスの変化時からの所定の第２の期間とについて、前記第１のストリームが前記第２の記録媒体の論理規格に準拠しているか否かを判定し、（２）前記第１の期間及び前記第２の期間について、前記第１のストリームを構成する全ての部分が前記第２の記録媒体の論理規格に準拠している場合のみ、前記第１のストリームが前記第２の記録媒体の論理規格に準拠していると判定する
請求項１に記載のストリーム記録再生装置。
【請求項６】
前記判定部は、前記第１のストリームの前記第１の記録媒体への記録の開始時から所定の第１の期間と、前記第１のストリームのシーケンスの変化時から所定の第２の期間とについて、前記第１のストリームが前記第２の記録媒体の論理規格に準拠しているか否かを判定し、
前記判定結果記録部は、シーケンス毎に、前記判定部によって得られた判定結果を前記第１の記録媒体に記録する
請求項１に記載のストリーム記録再生装置。
【請求項７】
前記判定部は、前記第１のストリームの論理規格を判定し、
前記判定結果記録部は、前記第１のストリームを構成する一部が前記第２の記録媒体の論理規格に準拠していないと前記判定部によって判定された場合、前記一部の論理規格を示すパラメータの種類と、前記パラメータが前記第１のストリーム上で存在する位置との少なくとも一方を前記第１の記録媒体に記録する
請求項１に記載のストリーム記録再生装置。
【請求項８】
第１のストリームを第１の記録媒体に記録した後に、前記第１のストリームを第２の記録媒体にダビングする装置であって、
前記第１のストリームが前記第２の記録媒体の論理規格に準拠しているか否かを判定する判定部と、
前記第１のストリームを、前記第２の記録媒体の論理規格に準拠する第２のストリームに変換する変換部と、
前記第１のストリームが前記第２の記録媒体の論理規格に準拠していないと前記判定部によって判定された場合、前記第２のストリームを前記第１の記録媒体に記録する第１の記録部と、
前記第１の記録媒体に記録された前記第２のストリームを前記第２の記録媒体に記録する第２の記録部と
を備えるストリーム記録再生装置。
【請求項９】
前記変換部は、前記第１のストリームをデコードし、デコードすることによって得られた信号を、前記第２の記録媒体の論理規格に準拠する前記第２のストリームにエンコードする
請求項８に記載のストリーム記録再生装置。
【請求項１０】
前記第１のストリームは、映像エレメンタリーストリームと音声エレメンタリーストリームとを有し、
前記変換部は、前記映像エレメンタリーストリームのＰｉｃｔｕｒｅレーヤのＵｓｅｒ＿ｄａｔａ内に存在する字幕データと同一のデータを、Ｇｒｏｕｐ  ｏｆ  ＰｉｃｔｕｒｅレーヤのＵｓｅｒ＿ｄａｔａ内に格納する
請求項８に記載のストリーム記録再生装置。
【請求項１１】
前記判定部は、前記第１の記録部が記録処理を開始する前に、前記第１のストリームが前記第２の記録媒体の論理規格に準拠しているか否かを判定する
請求項８に記載のストリーム記録再生装置。
【請求項１２】
第１のストリームを第１の記録媒体に記録した後に、前記第１のストリームを第２の記録媒体にダビングする装置であって、
前記第１のストリームが前記第２の記録媒体の論理規格に準拠しているか否かを判定する判定部と、
前記第１のストリームを、前記第２の記録媒体の論理規格に準拠する第２のストリームに変換する変換部と、
前記第１のストリームと前記第２のストリームとを、前記第１の記録媒体に記録する第１の記録部と、
（１）前記第１のストリームを構成する一部分が前記第２の記録媒体の論理規格に準拠していないと前記判定部によって判定された場合、前記第１の記録媒体に記録された前記第１のストリームを削除し、（２）前記第１のストリームを構成する全部分が前記第２の記録媒体の論理規格に準拠していると前記判定部によって判定された場合、前記第１の記録媒体に記録された前記第２のストリームを削除する削除部と、
前記第１の記録媒体に残されたストリームを前記第２の記録媒体に記録する第２の記録部と
を備えるストリーム記録再生装置。
【請求項１３】
前記変換部は、前記第１のストリームをデコードし、デコードすることによって得られた信号を、前記第２の記録媒体の論理規格に準拠する前記第２のストリームにエンコードする
請求項１２に記載のストリーム記録再生装置。
【請求項１４】
第１のストリームを第１の記録媒体に記録した後に、前記第１のストリームを第２の記録媒体にダビングする方法であって、
前記第１のストリームが前記第２の記録媒体の論理規格に準拠しているか否かを判定し、
前記第１のストリームを前記第１の記録媒体に記録し、
前記判定において得られた判定結果を、前記第１の記録媒体に記録し、
前記第１の記録媒体に、前記第１のストリームが前記第２の記録媒体の論理規格に準拠していないことを示す判定結果が記録されている場合、前記第１の記録媒体に記録された前記第１のストリームを、前記第２の記録媒体の論理規格に準拠する第２のストリームに変換し、
前記第２のストリームを前記第２の記録媒体に記録する
ストリーム記録再生方法。
【請求項１５】
第１のストリームを第１の記録媒体に記録した後に、前記第１のストリームを第２の記録媒体にダビングする方法であって、
前記第１のストリームが前記第２の記録媒体の論理規格に準拠しているか否かを判定し、
前記第１のストリームを、前記第２の記録媒体の論理規格に準拠する第２のストリームに変換し、
前記第１のストリームが前記第２の記録媒体の論理規格に準拠していないと前記判定において判定した場合、前記第２のストリームを前記第１の記録媒体に記録し、
前記第１の記録媒体に記録された前記第２のストリームを前記第２の記録媒体に記録する
ストリーム記録再生方法。
【請求項１６】
第１のストリームを第１の記録媒体に記録した後に、前記第１のストリームを第２の記録媒体にダビングする方法であって、
前記第１のストリームが前記第２の記録媒体の論理規格に準拠しているか否かを判定し、
前記第１のストリームを、前記第２の記録媒体の論理規格に準拠する第２のストリームに変換し、
前記第１のストリームと前記第２のストリームとを、前記第１の記録媒体に記録し、
（１）前記第１のストリームを構成する一部分が前記第２の記録媒体の論理規格に準拠していないと前記判定において判定した場合、前記第１の記録媒体に記録された前記第１のストリームを削除し、（２）前記第１のストリームを構成する全部分が前記第２の記録媒体の論理規格に準拠していると前記判定において判定した場合、前記第１の記録媒体に記録された前記第２のストリームを削除し、
前記第１の記録媒体に残されたストリームを前記第２の記録媒体に記録する
ストリーム記録再生方法。
【請求項１７】
第１のストリームを第１の記録媒体に記録した後に、前記第１のストリームを第２の記録媒体にダビングする集積回路であって、
前記第１のストリームが前記第２の記録媒体の論理規格に準拠しているか否かを判定する判定部と、
前記第１のストリームを前記第１の記録媒体に記録する第１のストリーム記録部と、
前記判定部によって得られた判定結果を、前記第１の記録媒体に記録する判定結果記録部と、
前記第１の記録媒体に、前記第１のストリームが前記第２の記録媒体の論理規格に準拠していないことを示す判定結果が記録されている場合、前記第１の記録媒体に記録された前記第１のストリームを、前記第２の記録媒体の論理規格に準拠する第２のストリームに変換する変換部と、
前記第２のストリームを前記第２の記録媒体に記録する第２のストリーム記録部と
を備える集積回路。
【請求項１８】
第１のストリームを第１の記録媒体に記録した後に、前記第１のストリームを第２の記録媒体にダビングする集積回路であって、
前記第１のストリームが前記第２の記録媒体の論理規格に準拠しているか否かを判定する判定部と、
前記第１のストリームを、前記第２の記録媒体の論理規格に準拠する第２のストリームに変換する変換部と、
前記第１のストリームが前記第２の記録媒体の論理規格に準拠していないと前記判定部によって判定された場合、前記第２のストリームを前記第１の記録媒体に記録する第１の記録部と、
前記第１の記録媒体に記録された前記第２のストリームを前記第２の記録媒体に記録する第２の記録部と
を備える集積回路。
【請求項１９】
第１のストリームを第１の記録媒体に記録した後に、前記第１のストリームを第２の記録媒体にダビングする集積回路であって、
前記第１のストリームが前記第２の記録媒体の論理規格に準拠しているか否かを判定する判定部と、
前記第１のストリームを、前記第２の記録媒体の論理規格に準拠する第２のストリームに変換する変換部と、
前記第１のストリームと前記第２のストリームとを、前記第１の記録媒体に記録する第１の記録部と、
（１）前記第１のストリームを構成する一部分が前記第２の記録媒体の論理規格に準拠していないと前記判定部によって判定された場合、前記第１の記録媒体に記録された前記第１のストリームを削除し、（２）前記第１のストリームを構成する全部分が前記第２の記録媒体の論理規格に準拠していると前記判定部によって判定された場合、前記第１の記録媒体に記録された前記第２のストリームを削除する削除部と、
前記第１の記録媒体に残されたストリームを前記第２の記録媒体に記録する第２の記録部と
を備える集積回路。
【発明の詳細な説明】
【技術分野】
【０００１】
本発明は、映像等のストリームを第１の記録媒体に記録した後に、そのストリームをリムーバブルメディア等の第２の記録媒体にダビングするストリーム記録再生装置に関する。
【背景技術】
【０００２】
圧縮符号化技術の進歩によって、映像信号や音声信号を圧縮して記録媒体に記録する記録再生装置が普及している。その中に、記憶容量が大きいハードディスクドライブ（以下、「ＨＤＤ」という）を内蔵したＤＶＤレコーダがある。
【０００３】
そのＤＶＤレコーダは、予約録画機能等により、放送される番組をＨＤＤに録画して貯めておき、ユーザが後でその番組を視聴して別途保存するための操作を行なう場合、その番組をｄｉｇｉｔａｌ  ｖｅｒｓａｔｉｌｅ  ｄｉｓｃ（以下、「ＤＶＤ」という）にダビングする、という使われ方が一般的である。最近では、デジタル放送チューナを有するＨＤＤ内蔵ＤＶＤレコーダが開発されている。その装置は、デジタルの放送ストリーム（トランスポートストリーム）をそのままＨＤＤに記録する。ＨＤＤに記録された放送ストリームをＤＶＤへダビングする場合、その装置は、ＨＤＤに記録されたトランスポートストリームをＭｏｖｉｎｇ  Ｐｉｃｔｕｒｅ  Ｅｘｐｅｒｔ  ＧｒｏｕＰ（以下、「ＭＰＥＧ」という）デコーダによりデコードし、ＤＶＤの記録フォーマットに対応するプログラムストリームにエンコードし直してＤＶＤに記録する。
【０００４】
このように、その装置は、記録された放送ストリームに対してデコードとエンコードとを行なって、ＨＤＤに記録された放送ストリームをＤＶＤへダビングする。そのため、その装置は高速にダビングすることができない。また、その装置によって得られたプログラムストリームを構成する映像及び音声の質（画質及び音質）は、ＨＤＤに記録されたトランスポートストリームを構成する映像及び音声の質（画質及び音質）より劣る。
【０００５】
ダビングの高速化と、画質及び音質の劣化の防止とを図る技術として、以下に示す第１の技術が開示されている（例えば、特開２００３−２２４８２２号公報参照）。第１の技術では、放送されるトランスポートストリームと同じ内容を有する、そのストリームがダビングされる先の記録メディア（以下、単に「ダビング先の記録メディア」という）に対応したフォーマットのストリームを生成し、生成したストリームとトランスポートストリームとをＨＤＤに同時に記録する。ダビング時には、ダビング先の記録メディアに対応したフォーマットのストリームを、ダビング先の記録メディアに単にコピーする。第１の技術は、このようにして、ダビングの高速化と、画質及び音質の劣化の防止とを実現する。
【０００６】
以下に示す第２の技術も開示されている（例えば、特開２００３−３２６１７号公報参照）。第２の技術では、アナログ放送等のアナログ映像音声信号を圧縮符号化してＨＤＤに記録する場合、再生視聴用のストリームとダビング先の記録メディアに対応したフォーマットのストリームとを同時に圧縮符号化してＨＤＤに記録する。ダビング時には、ダビング先の記録メディアに対応したフォーマットのストリームを、ダビング先の記録メディアに単にコピーする。これにより、第２の技術は、ダビングの高速化と、画質及び音質の劣化の防止とを実現する。
【発明の開示】
【発明が解決しようとする課題】
【０００７】
このように、上記の第１の技術及び第２の技術では、一つの番組を録画する場合、再生視聴用のストリームとダビング先の記録メディアに対応したフォーマットのストリームとの二つのストリームをＨＤＤに記録する。そのため、一つのストリーム（再生視聴用のストリーム）のみをＨＤＤに記録する場合に比べて、ＨＤＤの記憶容量を余分に使用する。その結果、録画可能時間が短くなる。
【０００８】
本発明は、上記課題を考慮し、映像等のストリームを、第１の記録媒体の記憶容量を余分に使用することなく第１の記録媒体に記録した後、高速にかつ質の劣化を抑えて第２の記録媒体にダビングするストリーム記録再生装置を提供することを目的とする。
【課題を解決するための手段】
【０００９】
上記目的を達成するために、本発明のストリーム記録再生装置は、第１のストリームを第１の記録媒体に記録した後に、前記第１のストリームを第２の記録媒体にダビングする装置であって、前記第１のストリームが前記第２の記録媒体の論理規格に準拠しているか否かを判定する判定部と、前記第１のストリームを前記第１の記録媒体に記録する第１のストリーム記録部と、前記判定部によって得られた判定結果を、前記第１の記録媒体に記録する判定結果記録部と、前記第１の記録媒体に、前記第１のストリームが前記第２の記録媒体の論理規格に準拠していないことを示す判定結果が記録されている場合、前記第１の記録媒体に記録された前記第１のストリームを、前記第２の記録媒体の論理規格に準拠する第２のストリームに変換する変換部と、前記第２のストリームを前記第２の記録媒体に記録する第２のストリーム記録部とを備える。
【００１０】
これにより、前記第２の記録媒体の論理規格に準拠している前記第１のストリームを前記第２の記録媒体にダビングする場合、前記第１のストリームをデコードしてエンコードし直す必要がなく、システムエンコードのみを行なうことにより、高速にダビングすることができる。
【００１１】
例えば、前記変換部は、前記第１のストリームをデコードし、デコードすることによって得られた信号を、前記第２の記録媒体の論理規格に準拠する前記第２のストリームにエンコードする。
【００１２】
前記第１のストリームが、映像エレメンタリーストリームと音声エレメンタリーストリームとを有する場合、前記変換部は、例えば、前記映像エレメンタリーストリームのＰｉｃｔｕｒｅレーヤのＵｓｅｒ＿ｄａｔａ内に存在する字幕データと同一のデータを、Ｇｒｏｕｐ  ｏｆ  ＰｉｃｔｕｒｅレーヤのＵｓｅｒ＿ｄａｔａ内に格納する。
【００１３】
前記判定部は、（１）前記第１のストリームの前記第１の記録媒体への記録の開始時から終了時まで、前記第１のストリームが前記第２の記録媒体の論理規格に準拠しているか否かを判定し、（２）前記第１のストリームを構成する全ての部分が前記第２の記録媒体の論理規格に準拠している場合のみ、前記第１のストリームが前記第２の記録媒体の論理規格に準拠していると判定してもよい。
【００１４】
前記判定部は、（１）前記第１のストリームの前記第１の記録媒体への記録の開始時からの所定の第１の期間と、前記第１のストリームのシーケンスの変化時からの所定の第２の期間とについて、前記第１のストリームが前記第２の記録媒体の論理規格に準拠しているか否かを判定し、（２）前記第１の期間及び前記第２の期間について、前記第１のストリームを構成する全ての部分が前記第２の記録媒体の論理規格に準拠している場合のみ、前記第１のストリームが前記第２の記録媒体の論理規格に準拠していると判定してもよい。
【００１５】
前記判定部は、前記第１のストリームの前記第１の記録媒体への記録の開始時から所定の第１の期間と、前記第１のストリームのシーケンスの変化時から所定の第２の期間とについて、前記第１のストリームが前記第２の記録媒体の論理規格に準拠しているか否かを判定し、前記判定結果記録部は、シーケンス毎に、前記判定部によって得られた判定結果を前記第１の記録媒体に記録してもよい。
【００１６】
前記判定部は、前記第１のストリームの論理規格を判定し、前記判定結果記録部は、前記第１のストリームを構成する一部が前記第２の記録媒体の論理規格に準拠していないと前記判定部によって判定された場合、前記一部の論理規格を示すパラメータの種類と、前記パラメータが前記第１のストリーム上で存在する位置との少なくとも一方を前記第１の記録媒体に記録してもよい。
【００１７】
また、本発明のストリーム記録再生装置は、第１のストリームを第１の記録媒体に記録した後に、前記第１のストリームを第２の記録媒体にダビングする装置であって、前記第１のストリームが前記第２の記録媒体の論理規格に準拠しているか否かを判定する判定部と、前記第１のストリームを、前記第２の記録媒体の論理規格に準拠する第２のストリームに変換する変換部と、前記第１のストリームが前記第２の記録媒体の論理規格に準拠していないと前記判定部によって判定された場合、前記第２のストリームを前記第１の記録媒体に記録する第１の記録部と、前記第１の記録媒体に記録された前記第２のストリームを前記第２の記録媒体に記録する第２の記録部とを備える。
【００１８】
このように、本発明のストリーム記録再生装置は、前記第１のストリームが前記第２の記録媒体の論理規格に準拠していなければ、前記第１のストリームを前記第２の記録媒体の論理規格に準拠する第２のストリームに変換して前記第１の記録媒体に記録する。そのため、本発明のストリーム記録再生装置は、前記第１のストリームを前記第２の記録媒体にダビングする際、システムエンコードのみを行なうことにより、高速にダビングすることができる。
【００１９】
例えば、前記変換部は、前記第１のストリームをデコードし、デコードすることによって得られた信号を、前記第２の記録媒体の論理規格に準拠する前記第２のストリームにエンコードする。
【００２０】
前記第１のストリームが、映像エレメンタリーストリームと音声エレメンタリーストリームとを有する場合、前記変換部は、例えば、前記映像エレメンタリーストリームのＰｉｃｔｕｒｅレーヤのＵｓｅｒ＿ｄａｔａ内に存在する字幕データと同一のデータを、Ｇｒｏｕｐ  ｏｆ  ＰｉｃｔｕｒｅレーヤのＵｓｅｒ＿ｄａｔａ内に格納する。
【００２１】
前記判定部は、前記第１の記録部が記録処理を開始する前に、前記第１のストリームが前記第２の記録媒体の論理規格に準拠しているか否かを判定してもよい。
【００２２】
また、本発明のストリーム記録再生装置は、第１のストリームを第１の記録媒体に記録した後に、前記第１のストリームを第２の記録媒体にダビングする装置であって、前記第１のストリームが前記第２の記録媒体の論理規格に準拠しているか否かを判定する判定部と、前記第１のストリームを、前記第２の記録媒体の論理規格に準拠する第２のストリームに変換する変換部と、前記第１のストリームと前記第２のストリームとを、前記第１の記録媒体に記録する第１の記録部と、（１）前記第１のストリームを構成する一部分が前記第２の記録媒体の論理規格に準拠していないと前記判定部によって判定された場合、前記第１の記録媒体に記録された前記第１のストリームを削除し、（２）前記第１のストリームを構成する全部分が前記第２の記録媒体の論理規格に準拠していると前記判定部によって判定された場合、前記第１の記録媒体に記録された前記第２のストリームを削除する削除部と、前記第１の記録媒体に残されたストリームを前記第２の記録媒体に記録する第２の記録部とを備える。
【００２３】
このように、本発明のストリーム記録再生装置は、前記第１のストリームを前記第１の記録媒体に記録する場合、前記第２の記録媒体の論理規格に準拠したストリームのみを前記第１の記録媒体に残す。そのため、本発明のストリーム記録再生装置は、前記第１のストリームを前記第２の記録媒体にダビングする際、システムエンコードのみを行なうことにより、高速にダビングすることができる。また、記録処理の終了時には、前記第２の記録媒体の論理規格に準拠したストリームのみが前記第１の記録媒体に残るので、前記第１の記録媒体の記憶容量が余分に使用されることはない。
【００２４】
例えば、前記変換部は、前記第１のストリームをデコードし、デコードすることによって得られた信号を、前記第２の記録媒体の論理規格に準拠する前記第２のストリームにエンコードする。
【００２５】
このように、本発明は、映像等のストリームを、第１の記録媒体の記憶容量を余分に使用することなく第１の記録媒体に記録した後、高速にかつ質の劣化を抑えて第２の記録媒体にダビングするストリーム記録再生装置を提供することができる。
【００２６】
本発明は、本発明のストリーム記録再生装置の特徴的な構成部をステップとするストリーム記録再生方法として実現したり、それらのステップをコンピュータに実行させるプログラムとして実現したり、集積回路として実現することもできる。上記のプログラムは、ＣＤ−ＲＯＭ等の記録媒体や通信ネットワーク等の伝送媒体を介して流通させることもできる。
【００２７】
明細書、図面、及び特許請求の範囲を含む、２００４年４月１４日にされた出願番号特願２００４−１１８８０７号の日本特許出願により開示されている事項は、そっくりそのまま引用されている。
【発明の効果】
【００２８】
本発明によれば、映像等のストリームを第１の記録媒体に記録した後に第２の記録媒体にダビングする場合に、第１の記録媒体の記憶容量を余分に使用することなく、かつ、質の劣化を抑えながら高速に、第２の記録媒体にダビングすることが可能となる。
【発明を実施するための最良の形態】
【００２９】
以下に、本発明を実施するための最良の形態について、図面を参照して説明する。
【００３０】
（実施の形態１）
実施の形態１のストリーム記録再生装置を、図１から図５Ａ〜図５Ｃまでを用いて説明する。
【００３１】
図１は実施の形態１のストリーム記録再生装置の構成図である。
先ず、ストリーム記録再生装置がデジタル放送のストリームを第１の記録媒体３に記録する際の動作について説明する。
【００３２】
デジタルチューナ１は、アンテナ端子からの放送信号を復調しパーシャル処理を行ない、選択された番組の映像パケットと音声パケットとにより構成されるパーシャルストリーム１０１を生成する。パーシャルストリーム１０１は、１８８バイトのパケット多数個で構成されるトランスポートストリーム（以下、「ＴＳ」ともいう）である。
【００３３】
パーシャルストリーム１０１はＴＳ記録処理部２に入力される。ＴＳ記録処理部２は、パーシャルストリーム１０１を、第１の記録媒体３に記録するための処理を行なって第１の記録媒体３に記録する。ＴＳ記録処理部２が行なう処理の一例は、各パケットに対してタイムスタンプを付与することである。ところで、トランスポートストリームを記録することができるメディアとして、Ｂｌｕ−ｒａｙ  ＤｉｓｃやＨＤＤ等がある。すなわち、第１の記録媒体３は、Ｂｌｕ−ｒａｙ  ＤｉｓｃやＨＤＤ等である。本実施の形態では、第１の記録媒体３がＨＤＤである場合を想定する。
【００３４】
パーシャルストリーム１０１は、映像エレメンタリーストリーム（以下、「ＥＳ」という）抽出部４と音声ＥＳ抽出部５とにも入力される。映像ＥＳ抽出部４は、入力されたパーシャルストリーム１０１のパケットヘッダ部の識別子（ＰＩＤ）が所定の値であるビデオパケットを選択し、そのパケットのペイロードのみを抽出する。これにより、映像ＥＳ抽出部４は映像ＥＳ４０１を抽出する。音声ＥＳ抽出部５は、パーシャルストリーム１０１のパケットヘッダ部のＰＩＤが所定の値であるオーディオパケットを選択し、そのパケットのペイロードのみを抽出する。これにより、音声ＥＳ抽出部５は音声ＥＳ５０１を抽出する。
【００３５】
映像ＥＳ４０１及び音声ＥＳ５０１は映像／音声ＥＳ解析部６に入力される。映像／音声ＥＳ解析部６は、入力された映像ＥＳ４０１及び音声ＥＳ５０１それぞれが第２の記録媒体７の論理規格に準拠しているか否かを判定する。
【００３６】
本実施の形態では、第２の記録媒体７がＤＶＤ−ＲＡＭである場合を想定する。また、第２の記録媒体７に記録することができるデータの論理フォーマット、すなわち第２の記録媒体７の論理規格がＤＶＤ−Ｖｉｄｅｏ  Ｒｅｃｏｒｄｉｎｇ（以下、「ＤＶＤ−ＶＲ」という）規格である場合を想定する。
【００３７】
図２は、日本国内の地上デジタル放送のＴＳに含まれる映像ＥＳの論理規格と、映像に関するＤＶＤ−ＶＲ規格とを対比して示す図である。
【００３８】
図２に示すように、放送ストリームの規格は、「符号化方式」としてＭＰＥＧ２の「ＭＰ＠ＨＬ」をサポートするが、ＤＶＤ−ＶＲ規格は「ＭＰ＠ＨＬ」をサポートしない。それに対して、「ＭＰ＠ＭＬ」は、放送ストリームの規格によっても、ＤＶＤ−ＶＲ規格によってもサポートされている。また図２に示す比較表の例では、放送ストリームの規格の「ビットレート」は「１５Ｍｂｐｓ」以下であるが、ＤＶＤ−ＶＲ規格の「ビットレート」は「９．８Ｍｂｐｓ」以下である。また、「ＧＯＰ先頭のヘッダ構造」については、放送ストリームの規格では「ＧＯＰヘッダ」が含まれていてもよいし含まれていなくてもよいが、ＤＶＤ−ＶＲ規格では「ＧＯＰヘッダ」は含まれていなければならない。更に、「ＳＤＴＶでの画像サイズ（Ｈ×Ｖ）」については、放送ストリームの規格は「７２０×４８０」、「５４４×４８０」、及び「４８０×４８０」をサポートするのに対して、ＤＶＤ−ＶＲ規格はそれらの何れをサポートするとともに、それらの何れとも異なる「７０４×４８０」等をもサポートする。なお、「ビットレート」を特定する情報は、０．５秒に一つの割合で映像ＥＳ４０１に含まれている。また、映像ＥＳ抽出部４は、「ビットレート」を計測し、計測した結果を、「ビットレート」を特定する情報として、例えば０．５秒に一つの割合で映像ＥＳ４０１に含めてもよい。
【００３９】
映像／音声ＥＳ解析部６は、映像ＥＳ４０１を解析して各種パラメータの値を抽出し、抽出したパラメータが図２に示す対比表のＤＶＤ−ＶＲ規格の欄に含まれているか否かを判定することにより、映像ＥＳ４０１がＤＶＤ−ＶＲ規格に準拠しているか否かを判定する。抽出したパラメータが図２に示す対比表のＤＶＤ−ＶＲ規格の欄に含まれている場合、映像／音声ＥＳ解析部６は、映像ＥＳ４０１がＤＶＤ−ＶＲ規格に準拠していると判定する。なお、映像ＥＳ抽出部４が「ビットレート」を計測する場合、映像／音声ＥＳ解析部６は、「ビットレート」を特定する情報に基づいて、計測された「ビットレート」がＤＶＤ−ＶＲ規格（９．８Ｍｂｐｓ以下）に準拠しているか否かを判定する。
【００４０】
映像／音声ＥＳ解析部６は、音声ＥＳ５０１についても同様に、ＤＶＤ−ＶＲ規格に準拠しているか否かを判定する。
【００４１】
図３は、日本国内の地上デジタル放送のＴＳに含まれる音声ＥＳの規格と、音声に関するＤＶＤ−ＶＲ規格とを対比して示す図である。図３に示す例では、放送ストリームの規格は、「符号化方式」として「ＭＰＥＧ２−ＡＡＣ」をサポートするが、ＤＶＤ−ＶＲ規格はそれをサポートしない。また、放送ストリームの規格の「サンプリングレート」は「４８ｋＨｚ」又は「３２ｋＨｚ」であるが、ＤＶＤ−ＶＲ規格は「４８ｋＨｚ」である。
【００４２】
映像／音声ＥＳ解析部６は、音声ＥＳ５０１を解析して各種パラメータの値を抽出し、抽出したパラメータが図３に示す対比表のＤＶＤ−ＶＲ規格の欄に含まれているか否かを判定することにより、音声ＥＳ５０１がＤＶＤ−ＶＲ規格に準拠しているか否かを判定する。抽出したパラメータが図３に示す対比表のＤＶＤ−ＶＲ規格の欄に含まれている場合、映像／音声ＥＳ解析部６は、音声ＥＳ５０１がＤＶＤ−ＶＲ規格に準拠していると判定する。
【００４３】
映像／音声ＥＳ解析部６は、図２及び図３に示す対比表を記憶している。
なお、図２及び図３に示す対比表は、放送におけるＥＳの規格と、ＤＶＤ−ＶＲ規格との対比の一例を示す。映像／音声ＥＳ解析部６は、実際には図２及び図３に示すパラメータ以外のパラメータもチェックする。
【００４４】
映像／音声ＥＳ解析部６は、映像ＥＳ４０１及び音声ＥＳ５０１に対するこの判定を、ＴＳ記録処理部２がパーシャルストリーム１０１を第１の記録媒体３に記録することを開始してから終了するまで継続して行なう。映像／音声ＥＳ解析部６は、判定した結果を解析結果６０１の一部として管理情報記録部８に出力する。また、映像ＥＳ４０１がＤＶＤ−ＶＲ規格に準拠していないと判定した場合、映像／音声ＥＳ解析部６は、映像ＥＳ４０１の規格を示すパラメータを、解析結果６０１の一部として管理情報記録部８に出力する。他方、音声ＥＳ５０１がＤＶＤ−ＶＲ規格に準拠していないと判定した場合、映像／音声ＥＳ解析部６は、音声ＥＳ５０１の規格を示すパラメータを、解析結果６０１の一部として管理情報記録部８に出力する。
【００４５】
パーシャルストリーム１０１の第１の記録媒体３への記録終了直後に、管理情報記録部８は、映像ＥＳ４０１及び音声ＥＳ５０１それぞれがＤＶＤ−ＶＲ規格に準拠しているか否かを示す判定結果を、管理情報の一部として第１の記録媒体３に記録する。映像ＥＳ４０１又は音声ＥＳ５０１がＤＶＤ−ＶＲ規格に準拠していない場合、管理情報記録部８は、ＤＶＤ−ＶＲ規格に準拠していないＥＳの規格を示すパラメータを、管理情報の一部として第１の記録媒体３に記録する。
【００４６】
これにより、デジタル放送のストリームであるパーシャルストリーム１０１は、パーシャルストリーム１０１を構成するＥＳがＤＶＤ−ＶＲ規格に準拠しているか否かを示す判定結果等を含む管理情報とともに、第１の記録媒体３へ記録される。パーシャルストリーム１０１を構成するＥＳがＤＶＤ−ＶＲ規格に準拠していない場合、ＤＶＤ−ＶＲ規格に準拠していない映像ＥＳのパラメータの値を含む非準拠情報も、第１の記録媒体３へ記録される。
【００４７】
次に、ストリーム記録再生装置が第１の記録媒体３に記録したパーシャルストリーム１０１を再生する際の動作について説明する。
【００４８】
記録されたパーシャルストリーム１０１を再生させるための指示により、パーシャルストリーム１０１が第１の記録媒体３から再生処理部９に入力される。
【００４９】
再生処理部９は、パーシャルストリーム１０１を再生させるための処理を行なって、再生ＴＳ９０１を出力する。再生ＴＳ９０１は映像ＥＳ抽出部１０と音声ＥＳ抽出部１２とに入力される。
【００５０】
映像ＥＳ抽出部１０は、再生ＴＳ９０１のパケットヘッダのＰＩＤが所定の値であるビデオパケットを選択し、そのパケットのペイロードのみを抽出する。これにより、映像ＥＳ抽出部１０は映像ＥＳ１０２を抽出する。音声ＥＳ抽出部１２は、再生ＴＳ９０１のパケットヘッダのＰＩＤが所定の値であるオーディオパケットを選択し、そのパケットのペイロードのみを抽出する。これにより、音声ＥＳ抽出部１２は音声ＥＳ１２１を抽出する。
【００５１】
映像ＥＳ１０２は映像デコード部１１に入力される。映像デコード部１１は、映像ＥＳ１０２をデコードすることによって映像信号を生成し、出力する。音声ＥＳ１２１は音声デコード部１３に入力される。音声デコード部１３は、音声ＥＳ１２１をデコードすることによって音声信号を生成し、出力する。
【００５２】
このようにして、第１の記録媒体３に記録されたパーシャルストリーム１０１は再生される。
【００５３】
次に、ストリーム記録再生装置が第１の記録媒体３に記録したパーシャルストリーム１０１を第２の記録媒体７へダビングする際の動作について説明する。
【００５４】
記録されたパーシャルストリーム１０１をダビングさせるための指示により、パーシャルストリーム１０１が第１の記録媒体３から再生処理部９に入力される。また、パーシャルストリーム１０１を構成する各ＥＳがＤＶＤ−ＶＲ規格に準拠しているか否かを示す判定結果等の、映像／音声ＥＳ解析部６によって得られた管理情報が、第１の記録媒体３から管理情報処理部５０に入力される。
【００５５】
再生処理部９は、パーシャルストリーム１０１を再生させるための処理を行なって、再生ＴＳ９０１を出力する。
【００５６】
管理情報処理部５０は、管理情報から、パーシャルストリーム１０１を構成する映像ＥＳ及び音声ＥＳそれぞれが、ダビング先の記録メディア（第２の記録媒体７）の論理規格に準拠しているか否かを示す種別情報を取得する。種別情報としては、映像ＥＳ及び音声ＥＳそれぞれについて、第２の記録媒体７の論理規格に準拠している場合と準拠していない場合とがあるので、４種類の組み合わせが存在する。
【００５７】
再生ＴＳ９０１は映像ＥＳ抽出部１０と音声ＥＳ抽出部１２とに入力される。映像ＥＳ抽出部１０は、入力される再生ＴＳ９０１のパケットヘッダのＰＩＤが所定の値であるビデオパケットを選択し、そのパケットのペイロードのみを抽出することにより、映像ＥＳ１０２を抽出する。音声ＥＳ抽出部１２は、映像ＥＳ抽出部１０と同様にして音声ＥＳ１２１を抽出する。
【００５８】
管理情報処理部５０は、先述の４種類の種別情報の組み合わせそれぞれの場合に応じて、ＳＷ５１及びＳＷ５２を、図４に示すいずれかに設定する。
【００５９】
すなわち、映像ＥＳが第２の記録媒体７の論理規格に準拠している場合、管理情報処理部５０は、ＳＷ５１に対して“ａ”側の入力を選択させる。他方、映像ＥＳが第２の記録媒体７の論理規格に準拠していない場合、管理情報処理部５０は、ＳＷ５１に対して“ｂ”側の入力を選択させるとともに、第２の記録媒体７の論理規格に準拠していない映像ＥＳのパラメータの値を含む非準拠情報を映像ＥＳ処理部１４に出力する。映像ＥＳ処理部１４は、非準拠情報を利用して、映像ＥＳ１０２を、第２の記録媒体７の論理規格に準拠する映像ＥＳ１４１に変換し、映像ＥＳ１４１をＰＳ生成部１６に出力する。
【００６０】
音声については、音声ＥＳが第２の記録媒体７の論理規格に準拠している場合、管理情報処理部５０は、ＳＷ５２に対して“ｃ”側の入力を選択させる。他方、音声ＥＳが第２の記録媒体７の論理規格に準拠していない場合、管理情報処理部５０は、ＳＷ５２に対して“ｄ”側の入力を選択させるとともに、第２の記録媒体７の論理規格に準拠していない音声ＥＳのパラメータの値を含む非準拠情報を音声ＥＳ処理部１５に出力する。音声ＥＳ処理部１５は、非準拠情報を利用して、音声ＥＳ１２１を、第２の記録媒体７の論理規格に準拠する音声ＥＳ１５１に変換し、音声ＥＳ１５１をＰＳ生成部１６に出力する。
【００６１】
その結果、映像ＥＳ１０２は、それがダビング先の記録メディアである第２の記録媒体７の論理規格に準拠していればそのままＰＳ生成部１６に入力される。それに対して、映像ＥＳ１０２が第２の記録媒体７の論理規格に準拠していなければ、映像ＥＳ処理部１４は、映像ＥＳ１０２を第２の記録媒体７の論理規格に準拠する映像ＥＳ１４１に変換し、映像ＥＳ１４１をＰＳ生成部１６に出力する。
【００６２】
同様に、音声ＥＳ１２１は、それがダビング先の記録メディアである第２の記録媒体７の論理規格に準拠していればそのままＰＳ生成部１６に入力される。それに対して、音声ＥＳ１２１が第２の記録媒体７の論理規格に準拠していなければ、音声ＥＳ処理部１５は、音声ＥＳ１２１を第２の記録媒体７の論理規格に準拠する音声ＥＳ１５１に変換し、音声ＥＳ１５１をＰＳ生成部１６に出力する。
【００６３】
ＰＳ生成部１６は、映像ＥＳ１０２又は映像ＥＳ１４１と、音声ＥＳ１２１又は音声ＥＳ１５１とを多重してプログラムストリーム（以下「ＰＳ」という）を生成する。
【００６４】
ＰＳ記録処理部１７は、生成されたＰＳに対して記録のための処理を施して第２の記録媒体７に記録する。
【００６５】
このようにして、第１の記録媒体３に記録されたパーシャルストリーム１０１は、第２の記録媒体７へダビングされる。
【００６６】
このように、第２の記録媒体７の論理規格に準拠しているパーシャルストリーム１０１を第２の記録媒体７へダビングする場合、パーシャルストリーム１０１はデコードもエンコードもされない。パーシャルストリーム１０１はシステムエンコードのみが行なわれる。これにより、パーシャルストリーム１０１が第２の記録媒体７の論理規格に準拠している場合、パーシャルストリーム１０１を、第１の記録媒体３の記憶容量を余分に使用することなく、高速にかつ画質及び音質の劣化を抑えて第２の記録媒体７にダビングすることができる。
【００６７】
次に、映像ＥＳ処理部１４が行なう処理の一例を説明する。
図２に示すように、日本国内の地上デジタル放送では、映像ＥＳにＧＯＰヘッダが含まれていなくてもよい。それに対して、ＤＶＤ−ＶＲ規格では、ＧＯＰヘッダは映像ＥＳに含まれていなければならない。よって、映像ＥＳにＧＯＰヘッダが無い放送ＴＳが第１の記録媒体３に記録される場合、映像／音声ＥＳ解析部６はＧＯＰヘッダが無いことを検出し、管理情報記録部８は、その情報を管理情報の一部として第１の記録媒体３に記録する。
【００６８】
このＧＯＰヘッダが無い放送ＴＳを第２の記録媒体７にダビングする場合、再生ＴＳ９０１より抽出された映像ＥＳ１０２は映像ＥＳ処理部１４に入力される。また、管理情報処理部５０は、ダビング対象のストリームがＧＯＰヘッダを有していないことを示す情報を第１の記録媒体３から取得して、映像ＥＳ処理部１４に伝送する。映像ＥＳ処理部１４は、Ｓｅｑｕｅｎｃｅヘッダの直後にＧＯＰヘッダを挿入し、これにより第２の記録媒体７の論理規格に準拠した映像ＥＳ１４１を生成する。映像ＥＳ１４１は、ＰＳ生成部１６によって音声ＥＳと多重される。
【００６９】
図５Ａから図５Ｃまでを用いて、映像ＥＳ処理部１４が行なう処理の別の一例を説明する。
【００７０】
北米のデジタル放送では、字幕データ（ライン２１データ）が映像ＥＳのＰｉｃｔｕｒｅレーヤのＵｓｅｒ＿ｄａｔａに存在する場合がある。図５ＡにＧＯＰ先頭部のストリーム構造を示す。それに対して、ＤＶＤ−ＶＲ規格では、字幕データはＧＯＰレーヤのＵｓｅｒ＿ｄａｔａに置くように規定されている。
【００７１】
字幕データが映像ＥＳのＰｉｃｔｕｒｅレーヤのＵｓｅｒ＿ｄａｔａに存在する場合、映像／音声ＥＳ解析部６は、字幕データが映像ＥＳのＰｉｃｔｕｒｅレーヤのＵｓｅｒ＿ｄａｔａに存在することを検出し、管理情報記録部８は、その情報を管理情報の一部として第１の記録媒体３に記録する。
【００７２】
この字幕データが映像ＥＳのＰｉｃｔｕｒｅレーヤのＵｓｅｒ＿ｄａｔａに存在するストリームを第２の記録媒体７にダビングする場合、再生ＴＳ９０１より抽出された映像ＥＳ１０２は映像ＥＳ処理部１４に入力される。また、管理情報処理部５０は、ダビング対象の映像ＥＳのＰｉｃｔｕｒｅレーヤのＵｓｅｒ＿ｄａｔａに字幕データが存在することを示す情報を第１の記録媒体３から取得して、映像ＥＳ処理部１４に伝送する。
【００７３】
映像ＥＳ処理部１４は、管理情報処理部５０からの、字幕データが映像ＥＳのＰｉｃｔｕｒｅレーヤのＵｓｅｒ＿ｄａｔａに存在する旨の情報に基づいて、ＰｉｃｔｕｒｅレーヤのＵｓｅｒ＿ｄａｔａ内の字幕データと同じデータを、ＧＯＰレーヤのＵｓｅｒ＿ｄａｔａ内に格納する。これにより、ＤＶＤ−ＶＲ規格に準拠した映像ＥＳが生成される。なお、ＰｉｃｔｕｒｅレーヤのＵｓｅｒ＿ｄａｔａは、図５Ｂに示すようにそのまま残されてもよいし、図５Ｃに示すように削除されてもよい。
【００７４】
次に、音声ＥＳ処理部１５が行なう処理の一例を説明する。
図３に示すように、日本国内の地上デジタル放送では、音声ＥＳはＭＰＥＧ２−ＡＡＣにより圧縮された音声ストリームである。ＭＰＥＧ２−ＡＡＣは、ＤＶＤ−ＶＲ規格によりサポートされない圧縮方式である。よって、音声ＥＳがＭＰＥＧ２−ＡＡＣで圧縮された音声ストリームである場合、映像／音声ＥＳ解析部６は、音声ＥＳがＭＰＥＧ２−ＡＡＣで圧縮された音声ストリームであることを検出し、管理情報記録部８は、その情報を管理情報の一部として第１の記録媒体３に記録する。
【００７５】
このＭＰＥＧ２−ＡＡＣで圧縮された音声ＥＳを第２の記録媒体７にダビングする場合、再生ＴＳ９０１より抽出された音声ＥＳ１２１は音声ＥＳ処理部１５に入力される。また、管理情報処理部５０は、音声ＥＳ１２１がＭＰＥＧ２−ＡＡＣで圧縮された音声ストリームであることを示す情報を第１の記録媒体３から取得して、音声ＥＳ処理部１５に伝送する。音声ＥＳ処理部１５は、ＭＰＥＧ２−ＡＡＣで圧縮された音声ＥＳ１２１を音声信号にデコードし、Ｄｏｌｂｙ−ＡＣ３ストリームに再度エンコードする。これにより、音声ＥＳ処理部１５は、ＤＶＤ−ＶＲ規格に準拠した音声ＥＳ１５１を生成する。音声ＥＳ１５１は、ＰＳ生成部１６によって映像ＥＳと多重される。
【００７６】
なお、図６に示すように、ダビング時には、映像デコード部１１が映像ＥＳをデコードし、それによって得られた映像信号１１１が映像信号処理部１８に入力されてもよい。その場合、映像信号処理部１８は映像信号１１１に対して下記の処理を行ない、映像エンコード部２０は、処理された映像信号を、第２の記録媒体７の論理規格に基づいてエンコードして、ＳＷ５１に出力する。音声についても同様に、音声デコード部１３が音声ＥＳをデコードし、それによって得られた音声信号１３１が音声信号処理部１９に入力されてもよい。その場合、音声信号処理部１９は音声信号１３１に対して下記の処理を行ない、音声エンコード部２１は、処理された音声信号を、第２の記録媒体７の論理規格に基づいてエンコードして、ＳＷ５２に出力する。
【００７７】
映像信号処理部１８は、例えば、ハイビジョン映像を標準映像にサイズ変換するといった処理を行なう。また、第１の記録媒体３からの映像ＥＳに字幕データが含まれている場合、映像信号処理部１８は、先に説明したように、例えば、ＰｉｃｔｕｒｅレーヤのＵｓｅｒ＿ｄａｔａと、ＧＯＰレーヤのＵｓｅｒ＿ｄａｔａとの双方に字幕データを置くように、映像ＥＳをエンコードする。
【００７８】
音声信号処理部１９は、例えば、音声信号のサンプリング周波数を変換するといった処理を行なう。図３に示すように、ＤＶＤ−ＶＲ規格は４８ｋＨｚでのサンプリングのみをサポートしているが、デジタル放送ではそれ以外にサンプリング周波数３２ｋＨｚでのサンプリングが行なわれている場合がある。そのような場合、音声信号処理部１９は音声信号のサンプリング周波数を変換する。
【００７９】
なお、上述した実施の形態１では、映像／音声ＥＳ解析部６は、映像ＥＳ４０１及び音声ＥＳ５０１が第２の記録媒体７の論理規格に準拠しているか否かを、パーシャルストリーム１０１の第１の記録媒体３への記録が開始してから終了するまで継続して判定する。しかしながら、映像／音声ＥＳ解析部６は、パーシャルストリーム１０１の第１の記録媒体３への記録開始後の一定期間のみ上記判定を行なってもよい。また、映像／音声ＥＳ解析部６は、パーシャルストリーム１０１の第１の記録媒体３への記録開始後の一定期間と、映像又は音声のシーケンスの変化直後の一定期間とのみ行なってもよい。後者の場合、管理情報記録部８は、映像又は音声のシーケンス毎に判定結果（解析結果６０１）を第１の記録媒体３へ記録し、ダビング時には、ＳＷ５１及びＳＷ５２はシーケンス毎に判定結果に応じて入力を切り替える。
【００８０】
映像／音声ＥＳ解析部６が、パーシャルストリーム１０１の論理規格を判定した結果、パーシャルストリーム１０１を構成する一部が第２の記録媒体７の論理規格に準拠していないと判定した場合、管理情報記録部８は、映像／音声ＥＳ解析部６によって第２の記録媒体７の論理規格に準拠していないと判定された、その一部の論理規格を示すパラメータの種類を、第１の記録媒体３へ記録してもよい。また上記の場合、管理情報記録部８は、上記パラメータがパーシャルストリーム１０１上で存在する位置を、第１の記録媒体３へ記録してもよい。パラメータの種類は、例えば、“ＧＯＰヘッダの有無を示すパラメータ”や、“字幕データが存在するレーヤを示すパラメータ”である。
【００８１】
パラメータの種類としての“ＧＯＰヘッダの有無を示すパラメータ”が第１の記録媒体３に記録されていれば、ダビング時には、映像ＥＳ処理部１４は、第２の記録媒体７の論理規格に準拠していないと判定された、パーシャルストリーム１０１を構成する一部に対して、Ｓｅｑｕｅｎｃｅヘッダの直後にＧＯＰヘッダを挿入する。これにより、映像ＥＳ処理部１４は、第２の記録媒体７の論理規格に準拠した映像ＥＳ１４１を、高速に生成することができる。
【００８２】
パーシャルストリーム１０１上でＧＯＰヘッダが存在すべき位置（Ｓｅｑｕｅｎｃｅヘッダ直後の位置）が第１の記録媒体３に記録されていれば、ＧＯＰヘッダを挿入すべき位置が分かるため、映像ＥＳ処理部１４は、第２の記録媒体７の論理規格に準拠した映像ＥＳ１４１を、更に高速に生成することができる。
【００８３】
パラメータの種類としての“字幕データが存在するレーヤを示すパラメータ”が第１の記録媒体３に記録されていれば、ダビング時には、映像ＥＳ処理部１４は、第２の記録媒体７の論理規格に準拠していないと判定された、パーシャルストリーム１０１を構成する一部に対して、ＰｉｃｔｕｒｅレーヤのＵｓｅｒ＿ｄａｔａ内の字幕データと同じデータを、ＧＯＰレーヤのＵｓｅｒ＿ｄａｔａ内に格納する。これにより、映像ＥＳ処理部１４は、第２の記録媒体７の論理規格に準拠した映像ＥＳ１４１を、高速に生成することができる。
【００８４】
パーシャルストリーム１０１上で字幕データが存在すべき位置（ＧＯＰヘッダ直後の位置）が第１の記録媒体３に記録されていれば、字幕データを挿入すべき位置がＧＯＰレーヤのＵｓｅｒ＿ｄａｔａであることが分かるため、映像ＥＳ処理部１４は、第２の記録媒体７の論理規格に準拠した映像ＥＳ１４１を、更に高速に生成することができる。
【００８５】
実施の形態１では、映像／音声ＥＳ解析部６は、本発明のストリーム記録再生装置の判定部の一例である。ＴＳ記録処理部２は、本発明のストリーム記録再生装置の第１のストリーム記録部の一例である。管理情報記録部８は、本発明のストリーム記録再生装置の判定結果記録部の一例である。映像ＥＳ処理部１４及び音声ＥＳ処理部１５は、本発明のストリーム記録再生装置の変換部の一例である。ＰＳ記録処理部１７は、本発明のストリーム記録再生装置の第２のストリーム記録部の一例である。
【００８６】
（実施の形態２）
実施の形態２のストリーム記録再生装置を、図７を用いて説明する。
【００８７】
図７は実施の形態２のストリーム記録再生装置の構成図である。
先ず、ストリーム記録再生装置がデジタル放送のストリームを記録する際の動作について説明する。
【００８８】
デジタルチューナ１は、アンテナ端子からの放送信号を復調しパーシャル処理を行ない、選択された番組の映像パケットと音声パケットとにより構成されるパーシャルストリーム１０１を生成する。パーシャルストリーム１０１は、映像ＥＳ抽出部４と音声ＥＳ抽出部５とに入力される。映像ＥＳ抽出部４は、入力されたパーシャルストリーム１０１のパケットヘッダ部のＰＩＤが所定の値であるビデオパケットを選択し、そのパケットのペイロードのみを抽出する。これにより、映像ＥＳ抽出部４は映像ＥＳ４０１を抽出する。音声ＥＳ抽出部５は、映像ＥＳ抽出部４と同様にして音声ＥＳ５０１を抽出する。
【００８９】
映像ＥＳ４０１は映像ＥＳ処理部２２に入力される。映像ＥＳ処理部２２は、映像ＥＳ４０１を、映像ＥＳ４０１がそのまま記録されるメディアである第１の記録媒体３の論理規格と、ダビング先の記録メディアである第２の記録媒体７の論理規格との双方に準拠する映像ＥＳ２２１に変換する。
【００９０】
音声ＥＳ５０１は音声ＥＳ処理部２３に入力される。音声ＥＳ処理部２３は、音声ＥＳ５０１を、音声ＥＳ５０１がそのまま記録されるメディアである第１の記録媒体３の論理規格と、ダビング先の記録メディアである第２の記録媒体７の論理規格との双方に準拠する音声ＥＳ２３１に変換する。
【００９１】
映像ＥＳ処理部２２から出力された映像ＥＳ２２１と、音声ＥＳ処理部２３から出力された音声ＥＳ２３１とは、ＴＳ生成部２４に入力される。ＴＳ生成部２４は、映像ＥＳ２２１と音声ＥＳ２３１とを多重して変換ＴＳ２４１を生成する。
【００９２】
また、ＴＳ生成部２４には、パーシャルストリーム１０１がそのままの状態で入力される。
【００９３】
映像ＥＳ４０１及び音声ＥＳ５０１は、映像／音声ＥＳ解析部６にも入力される。映像／音声ＥＳ解析部６は、入力された映像ＥＳ４０１及び音声ＥＳ５０１それぞれが第２の記録媒体７の論理規格に準拠しているか否かを判定する。判定の詳細は実施の形態１で説明した内容と同じであるので、説明を省略する。
【００９４】
映像ＥＳ４０１が第２の記録媒体７の論理規格（ＤＶＤ−ＶＲ規格）に準拠していない場合、映像／音声ＥＳ解析部６は、第２の記録媒体７の論理規格に準拠していない映像ＥＳのパラメータの値を含む非準拠情報を、映像ＥＳ処理部２２へ出力する。そして、映像ＥＳ処理部２２は、非準拠情報を利用して上述した変換を行なう。音声ＥＳ５０１が第２の記録媒体７の論理規格に準拠していない場合、映像／音声ＥＳ解析部６は、第２の記録媒体７の論理規格に準拠していない音声ＥＳのパラメータの値を含む非準拠情報を、音声ＥＳ処理部２３へ出力する。そして、音声ＥＳ処理部２３は、非準拠情報を利用して上述した変換を行なう。映像／音声ＥＳ解析部６は、非準拠情報をＳＷ５３へも出力する。
【００９５】
映像ＥＳ４０１及び音声ＥＳ５０１それぞれが第２の記録媒体７の論理規格に準拠していることを示す解析結果６０１が映像／音声ＥＳ解析部６によって得られた場合、ＳＷ５３は“ｅ”側を選択し、ＴＳ記録処理部２はパーシャルストリーム１０１を第１の記録媒体３に記録する。
【００９６】
それに対して、映像ＥＳ４０１及び音声ＥＳ５０１の何れかが第２の記録媒体７の論理規格に準拠していないことを示す解析結果６０１が映像／音声ＥＳ解析部６によって得られた場合、すなわち、映像／音声ＥＳ解析部６が非準拠情報をＳＷ５３へ出力した場合、ＳＷ５３は非準拠情報に基づいて“ｆ”側を選択する。映像ＥＳ処理部２２は、非準拠情報を利用して、映像ＥＳ４０１を、第１の記録媒体３の論理規格と、第２の記録媒体７の論理規格との双方に準拠する映像ＥＳ２２１に変換し、映像ＥＳ２２１をＴＳ生成部２４へ出力する。音声ＥＳ処理部２３は、非準拠情報を利用して、音声ＥＳ５０１を、第１の記録媒体３の論理規格と、第２の記録媒体７の論理規格との双方に準拠する音声ＥＳ２３１に変換し、音声ＥＳ２３１をＴＳ生成部２４へ出力する。ＴＳ生成部２４は、映像ＥＳ２２１と音声ＥＳ２３１とを多重して変換ＴＳ２４１を生成する。ＴＳ記録処理部２は変換ＴＳ２４１を第１の記録媒体３に記録する。
【００９７】
映像／音声ＥＳ解析部６は、映像ＥＳ４０１及び音声ＥＳ５０１それぞれが第２の記録媒体７の論理規格に準拠しているか否かの判断を、ＴＳ記録処理部２が記録処理を開始する前の一定期間行なう。
【００９８】
次に、ストリーム記録再生装置が第１の記録媒体３に記録したパーシャルストリーム１０１又は変換ＴＳ２４１を再生する際の動作について説明する。
【００９９】
記録されたコンテンツを再生させるための指示により、パーシャルストリーム１０１又は変換ＴＳ２４１は第１の記録媒体３から再生処理部９に入力される。
【０１００】
再生処理部９は、パーシャルストリーム１０１又は変換ＴＳ２４１を再生させるための処理を行なって、再生ＴＳ９０１を出力する。再生ＴＳ９０１は映像ＥＳ抽出部１０と音声ＥＳ抽出部１２とに入力される。
【０１０１】
映像ＥＳ抽出部１０は、入力された再生ＴＳ９０１のパケットヘッダ部のＰＩＤが所定の値であるビデオパケットを選択し、そのパケットのペイロードのみを抽出する。これにより、映像ＥＳ抽出部１０は映像ＥＳ１０２を抽出する。音声ＥＳ抽出部１２は、映像ＥＳ抽出部１０と同様にして音声ＥＳ１２１を抽出する。
【０１０２】
映像ＥＳ１０２は映像デコード部１１に入力される。映像デコード部１１は、映像ＥＳ１０２をデコードすることによって映像信号を生成し、出力する。音声ＥＳ１２１は音声デコード部１３に入力される。音声デコード部１３は、音声ＥＳ１２１をデコードすることによって音声信号を生成し、出力する。
【０１０３】
これにより、第１の記録媒体３に記録されたパーシャルストリーム１０１又は変換ＴＳ２４１は再生される。
【０１０４】
次に、ストリーム記録再生装置が第１の記録媒体３に記録したパーシャルストリーム１０１又は変換ＴＳ２４１を第２の記録媒体７へダビングする際の動作について説明する。
【０１０５】
記録されたパーシャルストリーム１０１又は変換ＴＳ２４１をダビングさせるための指示により、パーシャルストリーム１０１又は変換ＴＳ２４１は第１の記録媒体３から再生処理部９に入力される。
【０１０６】
再生処理部９は、パーシャルストリーム１０１又は変換ＴＳ２４１を再生させるための処理を行なって、再生ＴＳ９０１を出力する。
【０１０７】
再生ＴＳ９０１は映像ＥＳ抽出部１０と音声ＥＳ抽出部１２とに入力され、映像ＥＳ１０２と音声ＥＳ１２１とがそれぞれ抽出される。映像ＥＳ１０２と音声ＥＳ１２１とはＰＳ生成部１６に入力され、ＰＳ生成部１６は、映像ＥＳ１０２と音声ＥＳ１２１とを多重することによりＰＳを生成する。ＰＳ記録処理部１７は、ＰＳ生成部１６からのＰＳに対して記録のための処理を施して第２の記録媒体７に記録する。
【０１０８】
これにより、第１の記録媒体３に記録されたパーシャルストリーム１０１又は変換ＴＳ２４１はダビングされる。
【０１０９】
このように、パーシャルストリーム１０１が第２の記録媒体７の論理規格に準拠していなければ変換ＴＳ２４１に変換され、第１の記録媒体３には、第２の記録媒体７の論理規格に準拠するストリームが記録される。これにより、第１の記録媒体３に記録されたストリームを、第１の記録媒体３の記憶容量を余分に使用することなく、高速にかつ画質及び音質の劣化を抑えて第２の記録媒体７にダビングすることができる。
【０１１０】
図５Ａから図５Ｃまでを用いて、映像ＥＳ処理部２２が行なう処理の一例を説明する。
北米のデジタル放送では、字幕データ（ライン２１データ）が映像ＥＳのＰｉｃｔｕｒｅレーヤのＵｓｅｒ＿ｄａｔａに存在する場合がある。図５ＡにＧＯＰ先頭部のストリーム構造を示す。それに対して、ＤＶＤ−ＶＲ規格では、字幕データはＧＯＰレーヤのＵｓｅｒ＿ｄａｔａに置くように規定されている。
【０１１１】
字幕データが映像ＥＳのＰｉｃｔｕｒｅレーヤのＵｓｅｒ＿ｄａｔａに存在する場合、映像／音声ＥＳ解析部６は、字幕データが映像ＥＳのＰｉｃｔｕｒｅレーヤのＵｓｅｒ＿ｄａｔａに存在することを検出し、その旨の情報を映像ＥＳ処理部２２へ出力する。映像ＥＳ処理部２２は、映像／音声ＥＳ解析部６からの、字幕データが映像ＥＳのＰｉｃｔｕｒｅレーヤのＵｓｅｒ＿ｄａｔａに存在する旨の情報に基づいて、ＰｉｃｔｕｒｅレーヤのＵｓｅｒ＿ｄａｔａ内の字幕データと同じデータを、ＧＯＰレーヤのＵｓｅｒ＿ｄａｔａ内に格納する。これにより、第１の記録媒体３の論理規格、すなわちデジタル放送規格と、ＤＶＤ−ＶＲ規格とに準拠した映像ＥＳが生成される。なお、ＰｉｃｔｕｒｅレーヤのＵｓｅｒ＿ｄａｔａは、図５Ｂに示すようにそのまま残される。
【０１１２】
上記以外の映像ＥＳ処理部２２及び音声ＥＳ処理部２３が行なう処理の内容は、実施の形態１で説明した映像ＥＳ処理部１４及び音声ＥＳ処理部１５それぞれが行なう処理の内容と同じであるので、説明を省略する。
【０１１３】
なお、図８に示すように、記録時には、映像デコード部２５が映像ＥＳ４０１をデコードし、それによって得られた映像信号が映像信号処理部２６に入力されてもよい。その場合、映像信号処理部２６は映像信号に対して、図６に示す映像信号処理部１８が行なう処理と同様の処理を行ない、映像エンコード部２７は、処理された映像信号を、第１の記録媒体３の論理規格と第２の記録媒体７の論理規格との双方に準拠する映像信号にエンコードし、その映像信号をＴＳ生成部２４に出力する。
【０１１４】
音声については、音声デコード部２８が音声ＥＳ５０１をデコードし、それによって得られた音声信号が音声信号処理部２９に入力されてもよい。その場合、音声信号処理部２９は音声信号に対して、図６に示す音声信号処理部１９が行なう処理と同様の処理を行ない、音声エンコード部３０は、処理された音声信号を、第１の記録媒体３の論理規格と第２の記録媒体７の論理規格との双方に準拠する音声信号にエンコードし、その音声信号をＴＳ生成部２４に出力する。
【０１１５】
また、映像／音声ＥＳ解析部６は、映像ＥＳ４０１及び音声ＥＳ５０１それぞれを構成する各パケットが第２の記録媒体７の論理規格に準拠しているか否かを示す準拠情報を管理情報記録部８に出力し、管理情報記録部８はその準拠情報を第１の記録媒体３に記録してもよい。その際、第２の記録媒体７の論理規格に準拠している期間のストリームは、そのままの状態でＴＳ記録処理部２によって第１の記録媒体３に記録されてもよい。第２の記録媒体７の論理規格に準拠していないパケットは、映像ＥＳ処理部２２及び音声ＥＳ処理部２３によって変換されて、ＴＳ記録処理部２によって第１の記録媒体３に記録されてもよい。この場合、ダビング処理時には、第２の記録媒体７の論理規格に準拠しているストリームと、変換されたストリームとが継ぎ合わされる。
【０１１６】
実施の形態２では、映像／音声ＥＳ解析部６は、本発明のストリーム記録再生装置の判定部の一例である。映像ＥＳ処理部２２及び音声ＥＳ処理部２３は、本発明のストリーム記録再生装置の変換部の一例である。ＴＳ記録処理部２は、本発明のストリーム記録再生装置の第１の記録部の一例である。ＰＳ記録処理部１７は、本発明のストリーム記録再生装置の第２の記録部の一例である。
【０１１７】
（実施の形態３）
実施の形態３のストリーム記録再生装置を、図９を用いて説明する。
【０１１８】
図９は実施の形態３のストリーム記録再生装置の構成図である。
先ず、ストリーム記録再生装置がデジタル放送のストリームを記録する際の動作について説明する。
【０１１９】
デジタルチューナ１は、アンテナ端子からの放送信号を復調しパーシャル処理を行ない、選択された番組の映像パケットと音声パケットとにより構成されるパーシャルストリーム１０１を生成する。パーシャルストリーム１０１は、映像ＥＳ抽出部４と音声ＥＳ抽出部５とに入力される。映像ＥＳ抽出部４は、入力されたパーシャルストリーム１０１のパケットヘッダ部のＰＩＤが所定の値であるビデオパケットを選択し、そのパケットのペイロードのみを抽出する。これにより、映像ＥＳ抽出部４は映像ＥＳ４０１を抽出する。音声ＥＳ抽出部５は、映像ＥＳ抽出部４と同様にして音声ＥＳ５０１を抽出する。
【０１２０】
映像ＥＳ４０１は映像ＥＳ処理部２２に入力される。映像ＥＳ処理部２２は、映像ＥＳ４０１を、映像ＥＳ４０１がそのまま記録されるメディアである第１の記録媒体３の論理規格と、ダビング先の記録メディアである第２の記録媒体７の論理規格との双方に準拠する映像ＥＳ２２１に変換する。
【０１２１】
音声ＥＳ５０１は音声ＥＳ処理部２３に入力される。音声ＥＳ処理部２３は、音声ＥＳ５０１を、音声ＥＳ５０１がそのまま記録されるメディアである第１の記録媒体３の論理規格と、ダビング先の記録メディアである第２の記録媒体７の論理規格との双方に準拠する音声ＥＳ２３１に変換する。
【０１２２】
映像ＥＳ処理部２２から出力された映像ＥＳ２２１と、音声ＥＳ処理部２３から出力された音声ＥＳ２３１とは、ＴＳ生成部２４に入力される。ＴＳ生成部２４は、映像ＥＳ２２１と音声ＥＳ２３１とを多重して変換ＴＳ２４１を生成し、ＴＳ記録処理部２に出力する。
【０１２３】
ＴＳ記録処理部２には、パーシャルストリーム１０１も入力される。
映像ＥＳ４０１及び音声ＥＳ５０１は、映像／音声ＥＳ解析部６にも入力される。映像／音声ＥＳ解析部６は、入力された映像ＥＳ４０１及び音声ＥＳ５０１それぞれが第２の記録媒体７の論理規格に準拠しているか否かを判定する。判定の詳細は実施の形態１で説明した内容と同じであるので、説明を省略する。
【０１２４】
映像ＥＳ４０１が第２の記録媒体７の論理規格（ＤＶＤ−ＶＲ規格）に準拠していない場合、映像／音声ＥＳ解析部６は、第２の記録媒体７の論理規格に準拠していない映像ＥＳのパラメータの値を含む非準拠情報を、映像ＥＳ処理部２２へ出力する。そして、映像ＥＳ処理部２２は、非準拠情報を利用して上述した変換を行なう。音声ＥＳ５０１が第２の記録媒体７の論理規格に準拠していない場合、映像／音声ＥＳ解析部６は、第２の記録媒体７の論理規格に準拠していない音声ＥＳのパラメータの値を含む非準拠情報を、音声ＥＳ処理部２３へ出力する。そして、音声ＥＳ処理部２３は、非準拠情報を利用して上述した変換を行なう。
【０１２５】
映像／音声ＥＳ解析部６が非準拠情報を映像ＥＳ処理部２２及び音声ＥＳ処理部２３の少なくとも一方へ出力した場合、映像ＥＳ処理部２２は、非準拠情報を利用して、映像ＥＳ４０１を、第１の記録媒体３の論理規格と、第２の記録媒体７の論理規格との双方に準拠する映像ＥＳ２２１に変換し、映像ＥＳ２２１をＴＳ生成部２４へ出力する。音声ＥＳ処理部２３は、非準拠情報を利用して、音声ＥＳ５０１を、第１の記録媒体３の論理規格と、第２の記録媒体７の論理規格との双方に準拠する音声ＥＳ２３１に変換し、音声ＥＳ２３１をＴＳ生成部２４へ出力する。ＴＳ生成部２４は、映像ＥＳ２２１と音声ＥＳ２３１とを多重して変換ＴＳ２４１を生成する。
【０１２６】
ＴＳ記録処理部２は、パーシャルストリーム１０１と、変換ＴＳ２４１とを第１の記録媒体３に記録する。ＴＳ記録処理部２が記録処理を実行している際、映像／音声ＥＳ解析部６は、映像ＥＳ４０１及び音声ＥＳ５０１が第２の記録媒体７の論理規格に準拠しているか否かを解析する。
【０１２７】
上記記録処理の途中で、映像ＥＳ４０１及び音声ＥＳ５０１の少なくとも一方が第２の記録媒体７の論理規格に準拠していないことが検出されると、ＴＳ記録処理部２は、パーシャルストリーム１０１を第１の記録媒体３に記録することを停止するとともに、パーシャルストリーム１０１の既に記録された部分を消去する。変換ＴＳ２４１の記録は、記録終了指示が行なわれるまで継続され、その結果、変換ＴＳ２４１が第１の記録媒体３に最終的に記録されるストリームとなる。
【０１２８】
それに対して、記録終了指示が行なわれるまで、映像ＥＳ４０１及び音声ＥＳ５０１の何れもが第２の記録媒体７の論理規格に準拠していないことが検出されない場合（どちらも準拠している場合）、ＴＳ記録処理部２は、記録処理を終了すると、第１の記録媒体３に記録された変換ＴＳ２４１を消去する。その結果、パーシャルストリーム１０１が第１の記録媒体３に最終的に記録されるストリームとなる。
【０１２９】
第１の記録媒体３に記録されたパーシャルストリーム１０１又は変換ＴＳ２４１が再生される際の動作及びダビングされる際の動作は、実施の形態２で説明した内容と同じであるので、その説明を省略する。
【０１３０】
このように、第２の記録媒体７の論理規格に準拠しているストリームのみが第１の記録媒体３に残る。すなわち、第１の記録媒体３の記憶容量は余分に使用されない。また、第１の記録媒体３に記録されたストリームを、高速にかつ画質及び音質の劣化を抑えて第２の記録媒体７にダビングすることができる。
【０１３１】
なお、記録時の映像ＥＳ処理は以下のように行なわれてもよい。すなわち、映像デコード部により映像ＥＳ４０１をデコードし、それによって得られた映像信号を映像信号処理部により処理し、処理された映像信号を、映像エンコード部により、第１の記録媒体３の論理規格と第２の記録媒体７の論理規格との双方に準拠する映像信号にエンコードし、その映像信号をＴＳ生成部２４に出力してもよい。同様に、記録時の音声ＥＳ処理は以下のように行なわれてもよい。すなわち、音声デコード部により音声ＥＳ５０１をデコードし、それによって得られた音声信号を音声信号処理部により処理し、処理された映像信号を、音声エンコード部により、第１の記録媒体３の論理規格と第２の記録媒体７の論理規格との双方に準拠する音声信号にエンコードし、その音声信号をＴＳ生成部２４に出力してもよい。
【０１３２】
映像デコード部、映像信号処理部、映像エンコード部、音声デコード部、音声信号処理部、及び音声エンコード部それぞれは、図６に示す、映像デコード部１１、映像信号処理部１８、映像エンコード部２０、音声デコード部１３、音声信号処理部１９、及び音声エンコード部２１それぞれと同様に動作する。
【０１３３】
実施の形態３では、映像／音声ＥＳ解析部６は、本発明のストリーム記録再生装置の判定部の一例である。映像ＥＳ処理部２２及び音声ＥＳ処理部２３は、本発明のストリーム記録再生装置の変換部の一例である。ＴＳ記録処理部２は、本発明のストリーム記録再生装置の第１の記録部及び削除部の一例である。ＰＳ記録処理部１７は、本発明のストリーム記録再生装置の第２の記録部の一例である。
【産業上の利用可能性】
【０１３４】
本発明のストリーム記録再生装置は、例えば、番組を録画する場合、トランスポートストリームを、ダビング先の記録メディアの論理規格に準拠した映像及び音声のエレメンタリーストリームに変換して第１の記録媒体に記録する。記録した番組を第２の記録媒体にダビングする場合、本発明のストリーム記録再生装置は、エレメンタリーストリームについては何も処理せずに、システムエンコードのみを行なう。このように、本発明のストリーム記録再生装置は、例えば内蔵している第１の記録媒体の記憶容量を有効に使用しつつ、記録した番組を高速にダビングすることが必要な用途に適用することができる。
【図面の簡単な説明】
【０１３５】
【図１】実施の形態１のストリーム記録再生装置の構成図である。
【図２】デジタル放送のＴＳに含まれる映像ＥＳの論理規格と、映像に関するＤＶＤ−ＶＲ規格とを示す図である。
【図３】デジタル放送のＴＳに含まれる音声ＥＳの論理規格と、音声に関するＤＶＤ−ＶＲ規格とを示す図である。
【図４】実施の形態１において、ダビング時のＳＷ５１及びＳＷ５２の設定を示す図である。
【図５Ａ】ＰｉｃｔｕｒｅレーヤのＵｓｅｒ＿ｄａｔａに字幕データが格納されているデジタル放送のストリームの構造を示す図である。
【図５Ｂ】ＧＯＰレーヤのＵｓｅｒ＿ｄａｔａと、ＰｉｃｔｕｒｅレーヤのＵｓｅｒ＿ｄａｔａとに字幕データが格納されているデジタル放送のストリームの構造を示す図である。
【図５Ｃ】ＧＯＰレーヤのＵｓｅｒ＿ｄａｔａに字幕データが格納されているデジタル放送のストリームの構造を示す図である。
【図６】実施の形態１において、ダビング時のＥＳ処理をデコードしエンコードすることにより行なうストリーム記録再生装置の構成図である。
【図７】実施の形態２のストリーム記録再生装置の構成図である。
【図８】実施の形態２において、記録時のＥＳ処理をデコードしエンコードすることにより行なうストリーム記録再生装置の構成図である。
【図９】実施の形態３のストリーム記録再生装置の構成図である。
【図１】
2007533054.tif 000003
【図２】
2007533054.tif 000004
【図３】
2007533054.tif 000005
【図４】
2007533054.tif 000006
【図５Ａ】
2007533054.tif 000007
【図５Ｂ】
2007533054.tif 000008
【図５Ｃ】
2007533054.tif 000009
【図６】
2007533054.tif 000010
【図７】
2007533054.tif 000011
【図８】
2007533054.tif 000012
【図９】
2007533054.tif 000013
【国際調査報告】
2007533054.tif 000014
2007533054.tif 000015
2007533054.tif 000016